(57)【特許請求の範囲】
【請求項１】
カード類や記録担体等の比較的薄い収納物を複数収納できる収納ケースに於いて、開口部を有するケース本体と、収納物を収容可能な収容ポケットを有すると共に、ケース本体内に重合状態で収容可能な複数の単体ケースとを備え、単体ケースは、正面板と、この正面板の下端縁に折目線を介して連設される背面板と、背面板の上端縁に折返線を介して連設される折返板とを備え、単体ケースの正面板と背面板とに設けた連繋手段によって、隣設する単体ケース相互を連繋すると共に、折返板を後がわに隣設される単体ケースの収容ポケット内に配置して、背面板と折返板で後がわに隣設される単体ケースの正面板を挟むように形成し、最前方の単体ケースは、ケース本体に係止し、最後方の単体ケースの引出し動作によって、複数の単体ケースがケース本体の開口部外方がわへ後方の単体ケースから順次引出されるように構成し、前記連繋手段を、単体ケースの正面板に切起し状に設けられると共に、所定間隔隔てた状態で配される左右の差込ガイド片と、単体ケースの背面板に穿設されると共に、所定間隔隔てた状態で配される左右のガイド孔とで構成し、ガイド孔は、ガイド上孔とガイド下孔とで構成したことを特徴とする収納ケース。
【請求項２】
単体ケースは、正面板と背面板の上縁部分、及び正面板と背面板の一方の側縁部分を夫々開口部として構成したことを特徴とする請求項１記載の収納ケース。
【請求項３】
最後方の単体ケースの背面板の上縁部分に摘み部を連設したことを特徴とする請求項１または請求項２記載の収納ケース。
【発明の詳細な説明】
【０００１】
【発明の属する技術分野】
本発明は、主に、クレジットカードや、キャッシュカードや、テレホンカードや、その他のプリペイドカード等の各種カード類や、ＣＤや、ＣＤ−ＲＯＭや、ＦＤや、その他の記録担体等の如く比較的薄く形成されている適宜収納物を、複数収納できると共に整然と収納でき、しかも、これらの出入れがより容易に且つ確実に行えるように工夫した収納ケースに関する。
【０００２】
【従来の技術】
従来、クレジットカードや、キャッシュカード等のカード類を複数収容しておけるものは、例えば、複数のポケット部を上下にズラせた状態（多段状）に設け、カード類の一部が夫々露出した状態でポケット部に収容せしめるようにしたものが多く提供されている。
【０００３】
【発明が解決しようとする課題】
ところが、カード類は、その一部が露出した多段状に収容されるので、収容できるカード類の枚数を増やすと、収容部分を合せた面積が大きくなり、コンパクトに構成し難い難点等があった。
【０００４】
【課題を解決するための手段】
そこで、本発明は、前述の如き難点等を解消できるようにするのは勿論のこと、複数の収納物を所定箇所に整然と収納でき、収納物の出入れがより容易に且つ確実に行え、加えて、構成が簡素で、スムーズな動作が期待でき、取扱いが一層容易となるような収納ケースを提供すべく創出されたもので、請求項１記載の収納ケースにあっては、カード類や記録担体等の比較的薄い収納物Ｃを複数収納できる収納ケースに於いて、開口部を有するケース本体Ｂと、収納物Ｃを収容可能な収容ポケットを有すると共に、ケース本体Ｂ内に重合状態で収容可能な複数の単体ケースＡとを備え、単体ケースＡは、正面板１と、この正面板１の下端縁に折目線１０を介して連設される背面板２と、背面板２の上端縁に折返線１１を介して連設される折返板３とを備え、単体ケースＡの正面板１と背面板２とに設けた連繋手段によって、隣設する単体ケースＡ相互を連繋すると共に、折返板３を後がわに隣設される単体ケースＡの収容ポケット内に配置して、背面板２と折返板３で後がわに隣設される単体ケースＡの正面板１を挟むように形成し、最前方の単体ケースＡは、ケース本体Ｂに係止し、最後方の単体ケースＡの引出し動作によって、複数の単体ケースＡがケース本体Ｂの開口部外方がわへ後方の単体ケースＡから順次引出されるように構成し、前記連繋手段を、単体ケースＡの正面板１に切起し状に設けられると共に、所定間隔隔てた状態で配される左右の差込ガイド片５と、単体ケースＡの背面板２に穿設されると共に、所定間隔隔てた状態で配される左右のガイド孔とで構成し、ガイド孔は、ガイド上孔６とガイド下孔７とで構成する手段を採用した。
【０００５】
また、請求項２記載の収納ケースにあっては、単体ケースＡは、正面板１と背面板２の上縁部分、及び正面板１と背面板２の一方の側縁部分を夫々開口部として構成する手段を採用した。
【０００６】
更に、請求項３記載の収納ケースにあっては、最後方の単体ケースＡの背面板２の上縁部分に摘み部２ａを連設する手段を採用した。
【０００７】
【発明の実施の形態】
以下、本発明を図示例に基づいて説明する。
本発明は、主に、クレジットカードや、キャッシュカードや、テレホンカードや、その他のプリペイドカード等のように矩形状（或いは、矩形状以外の形状でも良い）を呈する各種カード類や、ＣＤや、ＣＤ−ＲＯＭや、ＦＤや、その他の記録担体等の如く比較的薄く形成されている適宜収納物Ｃを、複数枚コンパクトに収納できるようにした収納ケースに係り、この収納ケースは、適宜開口部を有するケース本体Ｂと、収納物Ｃを収容可能な収容ポケットを夫々有し、ケース本体Ｂ内に重合状態で収容可能となると共に、ケース本体Ｂの開口部から略多段状に引出し可能となるよう形成される複数の単体ケースＡとで構成されるものである。
【０００８】
そして、複数の単体ケースＡは、例えば、全体略矩形状を呈し、最前方となる単体ケースＡと、最後方となる単体ケースＡと、最前方と最後方の単体ケースＡの間に適数配される中間部分の単体ケースＡとからなり、最前方の単体ケースＡの背面板２、中間部分の単体ケースＡの正面板１と背面板２、及び最後方の単体ケースＡの正面板１に夫々設けた連繋手段によって隣設する単体ケースＡ相互が連繋された状態となっている。
【０００９】
しかも、最前方の単体ケースＡは、ケース本体Ｂに係止され、最後方の単体ケースＡを、ケース本体Ｂの開口部外方がわ（図示例では、上方）へ引出すことによって、複数の中間部分の単体ケースＡが後方の単体ケースＡからケース本体Ｂの開口部外方がわへ順次引出されて、略多段状に引出し可能となるように構成されている。
【００１０】
単体ケースＡは、適宜合成樹脂材や、適宜強化紙材や、適宜金属材や、その他の材料や、或いは、これらの複合材等からなり、比較的薄いシート材によって構成され、例えば、略矩形状の背面板２と、この背面板２の下端縁に折目線１０を介して連設される正面板１とを備え、正面板１と背面板２の他方の側縁を溶着部１２を介して固着（溶着）し、正面板１と背面板２の上縁部分及び一方の側縁部分を夫々開口部として構成されている。しかも、正面板１の一方の側縁寄り上縁部分を、略台形状に切設せしめてある。すなわち、単体ケースＡの収容ポケットへの収納物Ｃの収容や、収容ポケットからの収納物Ｃの取出しが、よりスムーズに行い易くなるように構成してある（図１参照）。
【００１１】
また、単体ケースＡ（最前方の単体ケースＡ及び中間部分の単体ケースＡ）は、背面板２の上端縁に折返線１１を介して略矩形状の折返板３が連設されており、この折返板３は、後がわに隣設される単体ケースＡの収容ポケット内に配置されて、背面板２と折返板３で後がわに隣設される単体ケースＡの正面板１を挟むように形成してある。すなわち、折返板３によって、隣設する単体ケースＡ相互の隙間（前方の単体ケースＡの背面板２と、後方の単体ケースＡの正面板１との間の隙間）部分が覆われるようになり、この部分に誤って収納物Ｃを差込む虞れが無くなり、単体ケースＡの収納ポケット部分に収納物Ｃが確実に収容されるように構成してある。
【００１２】
前記連繋手段は、例えば、中間部分の単体ケースＡの正面板１と最後方の単体ケースＡの正面板１に、左右差込ガイド片５を所定間隔隔てた状態に且つ切起し状に設け、更に、中間部分の単体ケースＡの背面板２と最前方の単体ケースＡの背面板２に、左右のガイド孔を所定間隔隔てた状態に穿設して構成されている。しかも、前記差込ガイド片５の先端左右には、係止顎部が設けてあり、差込ガイド片５がガイド孔から簡単に抜脱しないように形成してある。また、前記ガイド孔は、略細長長円状のガイド上孔６と、略下向き三角状のガイド下孔７とで構成されており、差込ガイド片５は、単体ケースＡ外がわからガイド下孔７に差込まれて単体ケースＡ内に位置すると共に、ガイド上孔６に差込まれて単体ケースＡ外に位置するように形成されている（図２参照）。尚、係止顎部がガイド上孔６の孔縁部分に係止されたときに、隣設する単体ケースＡが重合状態となり、差込ガイド片５の基端周辺部分がガイド下孔７の孔縁部分に係止されたときに、隣設する単体ケースＡの引出し方向（上下方向）でのズレが最大となる。
【００１３】
最前方の単体ケースＡは、差込ガイド片５の代りに略矩形状の係止片４が切起し状に正面板１の中央下部に形成されており、この係止片４は、その基端周辺部分がケース本体Ｂの内がわに設けた係止片２０の下端縁に係止されるように構成してある。また、正面板１の上端縁には、折目線を介して略矩形状の折返片が連設されており、この折返片は、正面板１の内面がわに密接するように構成してある。
【００１４】
最後方の単体ケースＡは、背面板２にガイド孔が無く、最後方の単体ケースＡの背面板２の上縁部分には、略矩形状の摘み部２ａが連設されている。すなわち、摘み部２ａは、手指で摘み易い大きさに設定され、最後方の単体ケースＡの引出し動作が行い易くなるように構成してある。更に、背面板２の上端部分には、折返線１１を介して折返片８が延設され、この折返片８が背面板２の内面がわに密接するように構成して、摘み部２ａを摘み易くすると共に、摘み部２ａの強度が増すようにしてある。
【００１５】
前記ケース本体Ｂは、適宜皮革や、適宜合成皮革や、適宜合成樹脂材や、適宜強化紙材や、適宜金属材や、その他の材料や、或いは、これらの複合材等によって構成され、例えば、上部に開口を設けた財布状に形成されたり、定期入れ状に形成される。しかも、ケース本体Ｂの正面板の裏面がわ上部には、係止片２０が固定されており、この係止片２０に最前方の単体ケースＡの正面板１に設けた係止片４が係止できるように構成してある。尚、係止片２０は、最前方の単体ケースＡの開口部が、ケース本体Ｂの開口部より僅か上方に位置したときに、それ以上の引出しを阻止できるように形成されている。また、ケース本体Ｂは、その開口部を閉鎖可能となるように形成してあっても良い。
【００１６】
ところで、収納ケースの具体的構成、形状、寸法、材質、単体ケースＡの具体的構成、形状、寸法、材質、数、正面板１の具体的構成、形状、寸法、背面板２の具体的構成、形状、寸法、摘み部２ａの具体的構成、形状、寸法、折返板３の具体的構成、形状、寸法、係止片４の具体的構成、形状、寸法、配設位置、差込ガイド片５の具体的構成、形状、寸法、数、配設位置、ガイド孔の具体的構成、形状、寸法、数、配設位置、ガイド上孔６の具体的構成、形状、寸法、ガイド下孔７の具体的構成、形状、寸法、折返片８の具体的構成、形状、寸法、材質、折目線１０の具体的構成、折返線１１の具体的構成、溶着部１２の具体的構成、形状、ケース本体Ｂの具体的構成、形状、寸法、材質、係止片２０の具体的構成、形状、寸法、材質等は、図示例のもの等に限定されることなく適宜自由に設定できるものである。
【００１７】
【発明の効果】
従って、請求項１記載の収納ケースにあっては、カード類や記録担体等の比較的薄い収納物Ｃを複数収納できる収納ケースに於いて、開口部を有するケース本体Ｂと、収納物Ｃを収容可能な収容ポケットを有すると共に、ケース本体Ｂ内に重合状態で収容可能な複数の単体ケースＡとを備え、単体ケースＡは、正面板１と、この正面板１の下端縁に折目線１０を介して連設される背面板２と、背面板２の上端縁に折返線１１を介して連設される折返板３とを備え、単体ケースＡの正面板１と背面板２とに設けた連繋手段によって、隣設する単体ケースＡ相互を連繋すると共に、折返板３を後がわに隣設される単体ケースＡの収容ポケット内に配置して、背面板２と折返板３で後がわに隣設される単体ケースＡの正面板１を挟むように形成し、最前方の単体ケースＡは、ケース本体Ｂに係止し、最後方の単体ケースＡの引出し動作によって、複数の単体ケースＡがケース本体Ｂの開口部外方がわへ後方の単体ケースＡから順次引出されるように構成したので、複数の適宜収納物Ｃを、複数の単体ケースＡの収容ポケットに夫々整然と収容しておけ、複数の単体ケースＡは、ケース本体Ｂ内に重合状態で収容しておけ、複数の収納物Ｃをコンパクトに収納しておけるようになる。しかも、構成が簡素で、量産に適し、低廉に提供でき、経済的な収納ケースとなる。
【００１８】
また、最後方の単体ケースＡをケース本体Ｂに対して開口部外方がわに引出すようにするだけで、後方の単体ケースＡからケース本体Ｂの開口部外方がわへ単体ケースＡをスムーズに順次引出せるようになり、複数の単体ケースＡに夫々収容されている収納物Ｃの一部を多段状に露出させることができ、所望の収納物Ｃの取出しや、収納物Ｃの所望単体ケースＡへの収容が容易に行え、取扱いが一層容易な収納ケースとなる。
【００１９】
特に、単体ケースＡは、正面板１と、この正面板１の下端縁に折目線１０を介して連設される背面板２と、背面板２の上端縁に折返線１１を介して連設される折返板３とを備え、単体ケースＡの正面板１と背面板２とに設けた連繋手段によって、隣設する単体ケースＡ相互を連繋すると共に、折返板３を後がわに隣設される単体ケースＡの収容ポケット内に配置して、背面板２と折返板３で後がわに隣設される単体ケースＡの正面板１を挟むように形成したので、収納物Ｃを夫々の単体ケースＡに収容させる際に、隣設する単体ケースＡ相互の隙間（前方の単体ケースＡの背面板２と、後方の単体ケースＡの正面板１との間の隙間）部分に、誤って収納物Ｃを差込む虞れが無くなり、収納物Ｃを単体ケースＡの収納ポケット部分に確実に且つ容易に収容させることができるようになる。すなわち、単体ケースＡの収容ポケット以外に収納物Ｃを差込むことができなくなり、単体ケースＡや、収納物Ｃを損傷する虞れのないものとなる。
【００２０】
加えて、前記連繋手段を、単体ケースＡの正面板１に切起し状に設けられると共に、所定間隔隔てた状態で配される左右の差込ガイド片５と、単体ケースＡの背面板２に穿設されると共に、所定間隔隔てた状態で配される左右のガイド孔とで構成し、ガイド孔は、ガイド上孔６とガイド下孔７とで構成したので、隣設する単体ケースＡ相互の連繋手段の構成が簡素となり、その製造が簡単に行えるようになる。特に、ケース本体Ｂ内から単体ケースＡを順次引出すときや、ケース本体Ｂ内に単体ケースＡを重合状態に収容させるときに、一層スムーズで安定した動作が期待できるようになる。
【００２１】
また、請求項２記載の収納ケースにあっては、単体ケースＡは、正面板１と背面板２の上縁部分、及び正面板１と背面板２の一方の側縁部分を夫々開口部として構成したので、単体ケースＡの収容ポケットへの収納物Ｃの収容や、単体ケースＡの収容ポケットからの収納物Ｃの取出しが、よりスムーズに行い易いものとなる。
【００２２】
更に、請求項３記載の収納ケースにあっては、最後方の単体ケースＡの背面板２の上縁部分に摘み部２ａを連設したので、摘み部２ａを手指で摘み易くなり、最後方の単体ケースＡの引出し動作がより行い易くなる。
【図面の簡単な説明】
【図１】  本発明の収納ケースの単体ケースを例示する分解斜視図である。
【図２】  本発明の収納ケースを例示する一部省略縦断側面図である。
【図３】  本発明の収納ケースの単体ケース相互の連繋状態を例示する一部省略背面図である。
【図４】  本発明の収納ケースの中間部分の単体ケースを例示する展開図である。
【符号の説明】
Ａ      単体ケース                    １      正面板
２      背面板                        ２ａ    摘み部
３      折返板                        ４      係止片
５      差込ガイド片                  ６      ガイド上孔
７      ガイド下孔                    ８      折返片
１０    折目線                        １１    折返線
１２    溶着部
Ｂ      ケース本体                    ２０    係止片
Ｃ      収納物
【図１】
0003885200.tif 000002
【図２】
0003885200.tif 000003
【図３】
0003885200.tif 000004
【図４】
0003885200.tif 000005